(57)【要約】【課題】浮遊選鉱槽とオーバーフローポットとを接続する配管の閉塞を抑制できる浮遊選鉱装置を提供する。【解決手段】浮遊選鉱装置ＡＡは、内部に供給された処理対象液に対して浮遊選鉱処理を行なう槽であって、側壁に槽排出口１２を有する浮遊選鉱槽１０Ａと、浮遊選鉱槽１０Ａの側方に配置されたオーバーフローポット２０Ａと、浮遊選鉱槽１０Ａから排出された処理対象液をオーバーフローポット２０Ａに供給する第１配管３１とを備える。オーバーフローポット２０Ａは、底部にポット供給口２２とポット排出口２３とを有するポット本体２１を有する。第１配管３１は、槽排出口１２とポット供給口２２とを接続し、その全体に渡ってポット供給口２２側から槽排出口１２側に向かって下る姿勢で配置されている。【選択図】図１
2020104044.tif 000002
【特許請求の範囲】
【請求項１】
内部に供給された処理対象液に対して浮遊選鉱処理を行なう槽であって、側壁に槽排出口を有する浮遊選鉱槽と、
前記浮遊選鉱槽の側方に配置されたオーバーフローポットと、
前記浮遊選鉱槽から排出された前記処理対象液を前記オーバーフローポットに供給する第１配管と、を備え、
前記オーバーフローポットは、底部にポット供給口とポット排出口とを有するポット本体を有し、
前記第１配管は、前記槽排出口と前記ポット供給口とを接続し、その全体に渡って前記ポット供給口側から前記槽排出口側に向かって下る姿勢で配置されている
ことを特徴とする浮遊選鉱装置。
【請求項２】
内部に供給された前記処理対象液に対して浮遊選鉱処理を行なう槽であって、側壁に槽供給口を有する次段浮遊選鉱槽と、
前記オーバーフローポットから排出された前記処理対象液を前記次段浮遊選鉱槽に供給する第２配管と、を備え、
前記第２配管は、前記ポット排出口と前記槽供給口とを接続し、その全体に渡って前記ポット排出口側から前記槽供給口側に向かって下る姿勢で配置されている
ことを特徴とする請求項１記載の浮遊選鉱装置。
【請求項３】
前記第１配管の両端部と前記槽排出口および前記ポット供給口とは、それぞれ異径継手を介して接続されており、前記第１配管は種々の内径の配管に交換可能である
ことを特徴とする請求項１記載の浮遊選鉱装置。
【請求項４】
前記第２配管の両端部と前記ポット排出口および前記槽供給口とは、それぞれ異径継手を介して接続されており、前記第２配管は種々の内径の配管に交換可能である
ことを特徴とする請求項２記載の浮遊選鉱装置。
【請求項５】
前記オーバーフローポットは、下端が前記ポット供給口に接続され、前記ポット本体の内部において上下方向に伸縮する導入筒を有する
ことを特徴とする請求項１〜４のいずれかに記載の浮遊選鉱装置。
【発明の詳細な説明】
【技術分野】
【０００１】
本発明は、浮遊選鉱装置に関する。さらに詳しくは、本発明は、浮遊選鉱槽内の液位を調整できる浮遊選鉱装置に関する。
【背景技術】
【０００２】
鉱物の親水性の差異を利用して選鉱を行なう浮遊選鉱装置が知られている（例えば、特許文献１）。また、複数の浮遊選鉱槽を直列に接続して多段階の浮遊選鉱を行なうよう構成された多段式浮遊選鉱装置が知られている。一般的な多段式浮遊選鉱装置では、槽間の送液を、ポンプなどの動力によらず、処理対象液の位置水頭を利用して行なう。
【０００３】
具体的には、複数の浮遊選鉱槽の設置高さを上流から下流に向かって徐々に低くする。そして、槽間をバルブ付きの配管で接続する。浮遊選鉱槽内の液位は、次段の浮遊選鉱槽の液位を基準とした位置水頭と、次段の浮遊選鉱槽との間に接続された配管における圧力損失とが釣り合う高さとなる。バルブの開度を小さくすると圧力損失が大きくなり、液位が高くなる。一方、バルブの開度を大きくすると圧力損失が小さくなり、液位が低くなる。このように、バルブを開閉することで浮遊選鉱槽内の液位を調整できる。
【先行技術文献】
【特許文献】
【０００４】
【特許文献１】特開２０１３−１８０２８９号公報
【発明の概要】
【発明が解決しようとする課題】
【０００５】
しかし、上記の構成では、バルブの開度と液位との関係が必ずしも明らかでないため、液位の調整が容易でない。しかも、処理対象液の液面は気泡で覆われているため、目視により液位を確認しながら、バルブの開度を調整することは困難である。また、浮遊選鉱槽に供給される処理対象液の性状が変化すると、配管における圧力損失が変化し、液位が変化する。そのため、液位の再調整を度々行なう必要がある。
【０００６】
そこで、本願発明者らは、浮遊選鉱槽内の液位を調整する器具として、オーバーフローポットを考案した。オーバーフローポットは、浮遊選鉱槽の内部と連通した導入筒と、導入筒の上端からオーバーフローした処理対象液を受け、底部の排出口から排出するポット本体とからなる。導入筒の上端の高さを変更すれば、浮遊選鉱槽内の液位を調整できる。しかし、浮遊選鉱槽への給液を停止すると、浮遊選鉱槽とオーバーフローポットとを接続する配管の内部に固形分が堆積し、配管が閉塞するという問題がある。
【０００７】
本発明は上記事情に鑑み、浮遊選鉱槽とオーバーフローポットとを接続する配管の閉塞を抑制できる浮遊選鉱装置を提供することを目的とする。
【課題を解決するための手段】
【０００８】
第１発明の浮遊選鉱装置は、内部に供給された処理対象液に対して浮遊選鉱処理を行なう槽であって、側壁に槽排出口を有する浮遊選鉱槽と、前記浮遊選鉱槽の側方に配置されたオーバーフローポットと、前記浮遊選鉱槽から排出された前記処理対象液を前記オーバーフローポットに供給する第１配管と、を備え、前記オーバーフローポットは、底部にポット供給口とポット排出口とを有するポット本体を有し、前記第１配管は、前記槽排出口と前記ポット供給口とを接続し、その全体に渡って前記ポット供給口側から前記槽排出口側に向かって下る姿勢で配置されていることを特徴とする。
第２発明の浮遊選鉱装置は、第１発明において、内部に供給された前記処理対象液に対して浮遊選鉱処理を行なう槽であって、側壁に槽供給口を有する次段浮遊選鉱槽と、前記オーバーフローポットから排出された前記処理対象液を前記次段浮遊選鉱槽に供給する第２配管と、を備え、前記第２配管は、前記ポット排出口と前記槽供給口とを接続し、その全体に渡って前記ポット排出口側から前記槽供給口側に向かって下る姿勢で配置されていることを特徴とする。
第３発明の浮遊選鉱装置は、第１発明において、前記第１配管の両端部と前記槽排出口および前記ポット供給口とは、それぞれ異径継手を介して接続されており、前記第１配管は種々の内径の配管に交換可能であることを特徴とする。
第４発明の浮遊選鉱装置は、第２発明において、前記第２配管の両端部と前記ポット排出口および前記槽供給口とは、それぞれ異径継手を介して接続されており、前記第２配管は種々の内径の配管に交換可能であることを特徴とする。
第５発明の浮遊選鉱装置は、第１〜第４発明のいずれかにおいて、前記オーバーフローポットは、下端が前記ポット供給口に接続され、前記ポット本体の内部において上下方向に伸縮する導入筒を有することを特徴とする。
【発明の効果】
【０００９】
第１発明によれば、第１配管がポット供給口側から槽排出口側に向かって下る姿勢で配置されているので、処理対象液の供給を停止した際に、第１配管の内壁に沈降した固形分が槽排出口側に滑り降り、浮遊選鉱槽に排出される。そのため、第１配管の内部に固形分が堆積せず、閉塞を抑制できる。
第２発明によれば、第２配管がポット排出口側から槽供給口側に向かって下る姿勢で配置されているので、処理対象液の供給を停止した際に、第２配管の内壁に沈降した固形分が槽供給口側に滑り降り、次段浮遊選鉱槽に排出される。そのため、第２配管の内部に固形分が堆積せず、閉塞を抑制できる。
第３発明によれば、処理対象液の供給量に合わせて第１配管の内径を選択することで、第１配管の内部における処理対象液の流速を維持できる。そのため、処理対象液に含まれる固形分が第１配管に堆積せず、閉塞を抑制できる。
第４発明によれば、処理対象液の供給量に合わせて第２配管の内径を選択することで、第２配管の内部における処理対象液の流速を維持できる。そのため、処理対象液に含まれる固形分が第２配管に堆積せず、閉塞を抑制できる。
第５発明によれば、浮遊選鉱槽内の液位は導入筒の上端の高さによって定まる。そのため、導入筒を伸縮させるだけで、浮遊選鉱槽内の液位を調整できる。
【図面の簡単な説明】
【００１０】
【図１】本発明の一実施形態に係る浮遊選鉱装置の説明図である。
【図２】オーバーフローポットの縦断面図である。
【図３】浮遊選鉱槽とオーバーフローポットとの接続部の正面図である。
【発明を実施するための形態】
【００１１】
つぎに、本発明の実施形態を図面に基づき説明する。
（浮遊選鉱装置）
図１に示すように、本発明の一実施形態に係る浮遊選鉱装置ＡＡは浮遊選鉱槽１０Ａとオーバーフローポット２０Ａとを備えている。浮遊選鉱槽１０Ａはその内部に供給された処理対象液に対して浮遊選鉱処理を行なう槽である。オーバーフローポット２０Ａは浮遊選鉱槽１０Ａ内の液位を調整する器具である。
【００１２】
ここで、処理対象液とは浮遊選鉱処理の対象の液である。処理対象液は固形分が含まれるスラリーである。浮遊選鉱により固形分の一部は浮鉱として回収され、残部は沈鉱として回収される。処理対象液に含まれる固形分は、一般的には鉱物であるが、これに限定されない。また、処理対象液には、予め、必要に応じて、起泡剤、捕収剤などが添加されている。
【００１３】
浮遊選鉱槽１０Ａは処理対象液が供給される槽供給口１１と、処理対象液を排出する槽排出口１２とを有する。槽供給口１１は浮遊選鉱槽１０Ａの側壁に配置される。槽供給口１１には給液配管３０が接続されている。槽排出口１２は浮遊選鉱槽１０Ａの側壁に配置される。槽排出口１２には第１配管３１が接続されている。
【００１４】
処理対象液は給液配管３０を流れ、槽供給口１１から浮遊選鉱槽１０Ａの内部に供給される。浮遊選鉱槽１０Ａの内部では、処理対象液に対して浮遊選鉱処理が行なわれる。浮遊選鉱処理後の処理対象液は槽排出口１２から排出され、第１配管３１を流れる。
【００１５】
浮遊選鉱槽１０Ａには撹拌機１３が設けられている。撹拌機１３は、中空の軸部１３ａと、軸部１３ａの下端に設けられた円板１３ｂと、円板１３ｂの外周に沿って下垂して設けられた複数の羽根１３ｃとから構成されている。また、浮遊選鉱槽１０Ａの底板には、複数の邪魔板１４が羽根１３ｃの周囲を囲むように放射状に立設されている。
【００１６】
撹拌機１３はモータの駆動により回転し、羽根１３ｃにより処理対象液を撹拌する。また、軸部１３ａの内部には空気が圧送されており、軸部１３ａの下端から処理対象液に空気を供給する。処理対象液に供給された空気は羽根１３ｃと邪魔板１４とで剪断され、気泡を形成する。
【００１７】
撹拌機１３による撹拌と空気の供給とにより浮遊選鉱処理が行なわれる。処理対象液に含まれる固形分のうち、親水性の低いものは、発生した気泡に付着して、気泡とともに液面に上昇する。この気泡に付着した固形分を浮鉱と称する。処理対象液の液面上には気泡が蓄積される。浮遊選鉱槽１０Ａの上縁から溢れ出た気泡は、浮遊選鉱槽１０Ａの周囲に設けられた浮鉱樋１５に流入する。すなわち、浮鉱は浮鉱樋１５に回収される。一方、気泡に付着しなかった固形分は処理対象液中に残る。この気泡に付着しなかった固形分を沈鉱と称する。沈鉱は処理対象液とともに槽排出口１２から排出される。
【００１８】
オーバーフローポット２０Ａは浮遊選鉱槽１０Ａの側方に配置されている。オーバーフローポット２０Ａはポット本体２１を有する。ポット本体２１の底部にはポット供給口２２とポット排出口２３とが設けられている。浮遊選鉱槽１０Ａの槽排出口１２とオーバーフローポット２０Ａのポット供給口２２とは第１配管３１で接続されている。浮遊選鉱槽１０Ａから排出された処理対象液は、第１配管３１を介してオーバーフローポット２０Ａに供給される。オーバーフローポット２０Ａのポット排出口２３には第２配管３２が接続されている。
【００１９】
ポット本体２１の内部には導入筒２４が収容されている。導入筒２４の下端はポット供給口２２に接続されている。すなわち、導入筒２４の下端と浮遊選鉱槽１０Ａの内部とは第１配管３１を介して連通している。一方、導入筒２４の上端は開放されている。導入筒２４は下端と上端との間が伸縮する。すなわち、導入筒２４は上下方向に伸縮する。
【００２０】
浮遊選鉱槽１０Ａの槽排出口１２から排出された処理対象液は、第１配管３１を通り、オーバーフローポット２０Ａのポット供給口２２から導入筒２４に流入する。処理対象液は導入筒２４内を上昇し、導入筒２４の上端からオーバーフローする。導入筒２４からオーバーフローした処理対象液はポット本体２１の内部（導入筒２４の外部）で一時的に貯留される。その後、処理対象液はポット排出口２３から排出され、第２配管３２を流れる。
【００２１】
浮遊選鉱槽１０Ａの内部と導入筒２４の内部とは第１配管３１を介して連通している。そのため、浮遊選鉱槽１０Ａ内の液位は導入筒２４の上端の高さによって定まる。具体的には、図１において一点鎖線で示すように、浮遊選鉱槽１０Ａ内の液位と導入筒２４の上端とは実質的に同じ高さとなる。ここで、浮遊選鉱槽１０Ａ内の液位とは、浮遊選鉱槽１０Ａ内の処理対象液の液面（処理対象液と気泡との界面）の高さを意味する。
【００２２】
導入筒２４を伸縮させ、その上端の高さを変更すると、それにともない浮遊選鉱槽１０Ａ内の液位が変わる。このように、導入筒２４を伸縮させるだけで、浮遊選鉱槽１０Ａ内の液位を調整できる。
【００２３】
導入筒２４の上端の高さと浮遊選鉱槽１０Ａ内の液位との関係が明らかであるため、液位の調整が容易である。また、浮遊選鉱槽１０Ａに供給される処理対象液の性状が変化したとしても、それによって液位が変化することはない。そのため、処理対象液の性状の変化に起因して、液位の再調整を行なう必要がない。
【００２４】
導入筒２４の上端から処理対象液がオーバーフローする様子は目視により確認できる。処理対象液の流れ具合に基づいて、配管などに詰まりが生じていないか判断できる。
【００２５】
なお、オーバーフローポット２０Ａは浮遊選鉱槽１０Ａに対して適した高さに設置される。導入筒２４の伸縮幅（全伸状態における上端の高さと全縮状態における上端の高さとの間の幅）が液位の調整幅となる。そのため、導入筒２４の伸縮幅と浮遊選鉱槽１０Ａの上下幅（底から上縁までの幅）とが少なくとも一部において重なる必要がある。現実的には、オーバーフローポット２０Ａの高さは、導入筒２４の伸縮幅に液位として適した範囲が含まれるように設定される。
【００２６】
本実施形態の浮遊選鉱装置ＡＡは多段式である。浮遊選鉱槽１０Ａの下流に次段の浮遊選鉱槽１０Ｂ（以下、「次段浮遊選鉱槽１０Ｂ」と称する。）が接続されている。次段浮遊選鉱槽１０Ｂにはオーバーフローポット２０Ｂが設けられている。次段浮遊選鉱槽１０Ｂの構成は浮遊選鉱槽１０Ａと同様である。また、オーバーフローポット２０Ｂの構成はオーバーフローポット２０Ａと同様である。
【００２７】
なお、図１に示す浮遊選鉱装置ＡＡは、２つの浮遊選鉱槽１０Ａ、１０Ｂを有する二段式であるが、段数はこれに限定されない。次段浮遊選鉱槽１０Ｂの下流にさらに別の浮遊選鉱槽を接続してもよい。
【００２８】
次段浮遊選鉱槽１０Ｂは浮遊選鉱槽１０Ａよりも低い位置に設置されている。また、浮遊選鉱槽１０Ａと次段浮遊選鉱槽１０Ｂとは、オーバーフローポット２０Ａを介して接続されている。具体的には、オーバーフローポット２０Ａのポット排出口２３と次段浮遊選鉱槽１０Ｂの槽供給口１１とは第２配管３２で接続されている。オーバーフローポット２０Ａから排出された処理対象液は、第２配管３２を介して次段浮遊選鉱槽１０Ｂに供給される。
【００２９】
（オーバーフローポット）
つぎに、図２に基づき、オーバーフローポット２０Ａの具体的構成を説明する。
ポット本体２１は縦長の容器である。ポット本体２１を構成する側壁のうち背面側壁のみが他の側壁に比べて上方に延長されている。この背面側壁の延長部分を表示板２５と称する。
【００３０】
ポット本体２１の底板には、管状のポット供給口２２とポット排出口２３とが設けられている。ポット供給口２２は底板を貫通している。ポット供給口２２の下端は、ポット本体２１の外部に配置され、第１配管３１の端部が接続されている。ポット排出口２３の上端はポット本体２１の内部に開口している。ポット排出口２３の下端は、ポット本体２１の外部に配置され、第２配管３２の端部が接続されている。なお、ポット供給口２２およびポット排出口２３は、ポット本体２１の底部に設けられていればよく、底板のほか、底板近傍の側壁に設けられてもよい。
【００３１】
ポット供給口２２の上端は、ポット本体２１の内部に配置され、導入筒２４の下端が接合されている。導入筒２４はポット本体２１の内部において、その中心軸が上下方向に沿うように立設されている。また、導入筒２４の上端は開放されている。図２に示す導入筒２４はベローズ形の筒部材である。導入筒２４がベローズ形であるため、導入筒２４を伸縮させることが容易である。
【００３２】
なお、導入筒２４は上下方向に伸縮する筒部材であればよく、ベローズ形に限定されない。例えば、導入筒２４としてテレスコピック状の筒部材を採用してもよい。この種の導入筒２４は複数の筒体をテレスコピック状に組み合わせて構成される。また、導入筒２４の断面形状は特に限定されない。導入筒２４は円筒形であってもよいし、角筒形であってもよい。
【００３３】
前述のごとく、導入筒２４の上端の高さを調整することで、浮遊選鉱槽１０Ａ内の液位を調整できる。オーバーフローポット２０Ａは導入筒２４の上端の高さを調整する液位調整部２６を備えている。
【００３４】
液位調整部２６は調整棒２６ａを有している。調整棒２６ａは上下方向に沿って配置されており、その下端が導入筒２４の上端に固定されている。調整棒２６ａを上下方向に動かすと、導入筒２４を伸縮させることができる。
【００３５】
また、ポット本体２１にはブラケットを介してクランプ２６ｂが固定されている。クランプ２６ｂを開くと、クランプ２６ｂは調整棒２６ａを上下方向に動くように案内する。調整棒２６ａを上下方向に動かした後にクランプ２６ｂを閉じると、調整棒２６ａの上下方向の位置はポット本体２１に対して固定される。
【００３６】
調整棒２６ａの上部は表示板２５に達している。表示板２５には調整棒２６ａに沿って目盛り２６ｃが貼り付けられている。一方、調整棒２６ａには基準線２６ｄが付されている。基準線２６ｄが指す目盛り２６ｃの値によって、調整棒２６ａのポット本体２１に対する上下方向の位置が示される。ポット本体２１より上方に配置された表示板２５に目盛り２６ｃが設けられていることから、目盛り２６ｃの値を容易に視認できる。なお、調整棒２６ａに目盛り２６ｃを貼り付け、表示板２５に基準線２６ｄを付してもよい。
【００３７】
調整棒２６ａを上下方向に動かしてクランプ２６ｂで固定することで、導入筒２４の上端の高さを調整できる。このように、液位調整部２６を操作することで、浮遊選鉱槽１０Ａ内の液位を調整できる。また、この際、目盛り２６ｃの値に基づいて、調整棒２６ａの上下方向の位置を調整することで、浮遊選鉱槽１０Ａ内の液位を正確に調整できる。
【００３８】
なお、導入筒２４を伸縮させる手段は、上記の液位調整部２６の構成に限定されず、種々の手段を採用できる。
【００３９】
オーバーフローポット２０Ａは浮遊選鉱槽１０Ａ内の液位を調整できればよく、上記の構成に限定されない。液位を調整する手段として、導入筒２４を伸縮させる構成に代えて、堰を上下動させる構成としてもよい。導入筒２４または堰の上端の高さを固定し、浮遊選鉱槽１０Ａ内の液位を常に一定の高さに制御する構成でもよい。
【００４０】
ところで、浮遊選鉱槽１０Ａへの処理対象液の供給を停止すると、第１配管３１の内部における処理対象液の流れが停止する。そうすると、処理対象液に含まれる固形分が第１配管３１の内部において沈降する。ここで、第１配管３１に水平な部分またはＵ字形の部分があると、その部分に固形分が堆積して、第１配管３１が閉塞する恐れがある。
【００４１】
これに対して、図３に示すように、本実施形態では第１配管３１が傾斜して設けられている。具体的には、第１配管３１はその全体がポット供給口２２側から槽排出口１２側に向かって下るよう傾斜している。
【００４２】
なお、第１配管３１の一部が鉛直方向に沿って設けられてもよい。この場合、残部は傾斜して設けられる。要するに、第１配管３１は、その全体に渡ってポット供給口２２側から槽排出口１２側に向かって下る姿勢で配置されていればよい。
【００４３】
このように、第１配管３１はポット供給口２２側から槽排出口１２側に向かって下る姿勢で配置されている。処理対象液の供給を停止した際に、第１配管３１の内壁に沈降した固形分が槽排出口１２側に滑り降り、浮遊選鉱槽１０Ａに排出される。そのため、第１配管３１の内部に固形分が堆積せず、閉塞を抑制できる。
【００４４】
同様に、浮遊選鉱槽１０Ａへの処理対象液の供給を停止すると、第２配管３２の内部における処理対象液の流れが停止し、第２配管３２が閉塞する恐れがある。これに対して、本実施形態では第２配管３２が傾斜して設けられている。具体的には、第２配管３２はその全体がポット排出口２３側から槽供給口１１側に向かって下るよう傾斜している。
【００４５】
第２配管３２の一部が鉛直方向に沿って設けられてもよい。この場合、残部は傾斜して設けられる。要するに、第２配管３２は、その全体に渡ってポット排出口２３側から槽供給口１１側に向かって下る姿勢で配置されていればよい。
【００４６】
第２配管３２はポット排出口２３側から槽供給口１１側に向かって下る姿勢で配置されている。処理対象液の供給を停止した際に、第２配管３２の内壁に沈降した固形分は槽供給口１１側に滑り降り、次段浮遊選鉱槽１０Ｂに排出される。そのため、第２配管３２の内部に固形分が堆積せず、閉塞を抑制できる。
【００４７】
第１配管３１の両端部と槽排出口１２およびポット供給口２２とは、それぞれ異径継手３３を介して接続されている。ここで、異径継手３３とは、異なる径を有する２つの配管を接続する継手である。異径継手３３として、特に限定されないが、レジューサ、ブッシングなどを用いることができる。
【００４８】
また、第１配管３１として、種々の内径の配管が用意されている。異径継手３３を脱着することで、第１配管３１を交換できる。すなわち、第１配管３１は種々の内径の配管に交換可能である。
【００４９】
浮遊選鉱槽１０Ａに供給する処理対象液の流量を少なくすると、第１配管３１の内部を流れる処理対象液の流量も少なくなる。これにともない、第１配管３１の内部における処理対象液の流速が遅くなる。処理対象液の流速が遅くなりすぎると、固形分がオーバーフローポット２０Ａに供給されず、ひいては第１配管３１の内部において固形分が沈降し、堆積する。これを防止するには、第１配管３１の内径を小さくして、処理対象液の流速を速くする必要がある。
【００５０】
処理対象液の供給量に合わせて第１配管３１の内径を選択する。具体的には、第１配管３１の内部における処理対象液の流速を、固形分がオーバーフローポット２０Ａに向かって流動する流速とする。流量が一定の場合、第１配管３１の内径を小さくすれば、流速を速くすることができる。逆に、第１配管３１の内径を大きくすると、流速が遅くなる。処理対象液の流量が変わる際に第１配管３１の内径を変更して、第１配管３１の内部における処理対象液の流速を維持する。そうすれば、処理対象液に含まれる固形分がオーバーフローポット２０Ａに供給され、また、第１配管３１に堆積せず、閉塞を抑制できる。
【００５１】
第１配管３１の内径の選択方法は、特に限定されないが、例えば、Durandが求めた式（１）を用いればよい。
【数１】
2020104044.tif 000003
ここで、ｖdは堆積速度、Ｆdは粒子の粒径と濃度とから決まる係数、ｇは重力加速度、Ｄは配管径、Ｓは粒子の比重である。
【００５２】
堆積速度ｖdとは摺動層流れの状態において管底の粒子が停止と摺動とを繰り返す状態の平均流速である。液の流速が堆積速度ｖd以上であれば、液に含まれる粒子が堆積することがない。したがって、第１配管３１内の処理対象液の平均流速が堆積速度ｖd以上となるように、第１配管３１の径Ｄを選択すればよい。
【００５３】
また、処理対象液を用いて試験を行ない、流量に対して粒子の堆積が生じない配管径を求めておいてもよい。
【００５４】
同様に、第２配管３２の両端部とポット排出口２３および槽供給口１１とは、それぞれ異径継手３３を介して接続されている。そして、第２配管３２も種々の内径の配管に交換可能である。
【００５５】
処理対象液の供給量に合わせて第２配管３２の内径を選択することで、第２配管３２の内部における処理対象液の流速を維持できる。そのため、処理対象液に含まれる固形分が第２配管３２に堆積せず、閉塞を抑制できる。
【符号の説明】
【００５６】
ＡＡ    浮遊選鉱装置
１０Ａ  浮遊選鉱槽
１０Ｂ  次段浮遊選鉱槽
２０Ａ  オーバーフローポット
２０Ｂ  オーバーフローポット
１１    槽供給口
１２    槽排出口
２２    ポット供給口
２３    ポット排出口
３０    給液配管
３１    第１配管
３２    第２配管
【図１】
2020104044.tif 000004
【図２】
2020104044.tif 000005
【図３】
2020104044.tif 000006